(57)【要約】  【課題】指掛け穴等の指掛け部に装着してそれを十分に保護することができ、指掛け部を形成した対象物の多様な厚みに対応することができて丈夫なカバーを提供する。  【解決手段】指掛け部ＯＢｈに対して取付対象物ＯＢの外側から取り付けられる外カバー２と内側から取り付けられる内カバー３とを具備するカバー１において、外カバー２と内カバー３との間に取付対象物ＯＢを挟んで係り合う装着部１Ｘを形成し、この装着部１Ｘを、外カバー２又は内カバー３の何れか一方において階段状をなすように複数の係合段部３２ａ〜３２ｅを連続させて形成した多段階係合部３２と、他方において係合段部３２ａ〜３２ｅの何れか１つと選択的に係合し得るように形成した係合爪２３とから構成した。【選択図】図７
2005074890.tif 000002
【特許請求の範囲】
【請求項１】
取付対象物に形成された指掛け部の周囲に装着した状態で用いられるものであって、
前記指掛け部に対して取付対象物の外側から取り付けられる外カバーと内側から取り付けられる内カバーとを具備してなり、外カバーと内カバーとの間に取付対象物を挟んで係り合う装着部を形成し、該装着部を、外カバー又は内カバーの何れか一方において階段状をなすように複数の係合段部を連続させて形成した多段階係合部と、他方において前記多段階係合部の係合段部の何れか１つと選択的に係合し得るように形成した係合爪とから構成していることを特徴とする指掛け部用カバー。
【請求項２】
前記複数の係合段部が、いずれも略直角をなす先端部を有している請求項１記載の指掛け部用カバー。
【請求項３】
前記装着部が、外カバー又は内カバーの何れか一方又は両方の弾性変形を利用して係合段部と係合爪とを係合させるものである請求項１又は２記載の指掛け部用カバー。
【請求項４】
取付対象物に形成された指掛け部たる指掛け穴の周囲に装着した状態で用いられるものであって、
前記指掛け穴に対して取付対象物の外側から取り付けられるリング状をなす外カバーと内側から取り付けられるリング状をなす内カバーとを具備してなり、外カバーと内カバーとの間に取付対象物を挟んで係り合う装着部を形成し、該装着部を、外カバー又は内カバーの何れか一方において階段状をなすように複数の係合段部を連続させて形成した多段階係合部と、他方において前記多段階係合部の係合段部の何れか１つと選択的に係合し得るように形成した係合爪とから構成していることを特徴とする指掛け部用カバー。
【請求項５】
前記複数の係合段部が、いずれも略直角をなす先端部を有している請求項４記載の指掛け部用カバー。
【請求項６】
前記装着部を、多段階係合部と係合爪とを嵌め合わせた状態で係り合わせるように構成している請求項４又は５記載の指掛け部用カバー。
【請求項７】
外カバー又は内カバーのうち外側から嵌め合わせる側の部材の内周に前記多段階係合部を形成し、内側から嵌め合わせる側の部材の外周に前記係合爪を形成している請求項６記載の指掛け部用カバー。
【請求項８】
外カバー又は内カバーのうち外側から嵌め合わせる側の部材の内周に前記係合爪を形成し、内側から嵌め合わせる側の部材の外周に前記多段階係合部を形成している請求項６記載の指掛け部用カバー。
【請求項９】
外カバー又は内カバーのうち前記係合爪を形成した側の部材において、該係合爪を弾性変形可能に形成している請求項６、７又は８記載の指掛け部用カバー。
【請求項１０】
外カバーに、取付対象物の外面側において指掛け穴の周囲に当接するリング状をなす外鍔部を形成するとともに、内カバーに、取付対象物の内面側において指掛け穴の周囲に当接するリング状をなす内鍔部を形成している請求項４、５、６、７、８又は９記載の指掛け部用カバー。
【請求項１１】
略正円状をなす指掛け穴の周囲に装着されるものであって、外カバー及び内カバーの正面視形状が何れも指掛け穴に対応する略正円状をなすものである請求項４、５、６、７、８、９又は１０記載の指掛け部用カバー。
【発明の詳細な説明】
【技術分野】
【０００１】
本発明は、ファイルの背表紙や箱形のボックスファイルの背等に形成された指掛け用の凹部の周囲に取り付けられるカバーに関するものである。
【背景技術】
【０００２】
書類を綴じたファイルや、書類や前記ファイル等を収容したボックスファイル等を棚や引出等に収納した場合にそれらを取り出しやすくするために、棚や引出等の正面から見える部位（ファイルであれば背表紙、ボックスファイルであれば背）に指掛け穴を形成したものが従来から利用されている。ところが、ファイル等が紙製であると指掛け穴が次第に破損してくることが考えられ、またファイルなどが樹脂製又は金属製であると指掛け穴に挿入した使用者の指が怪我をする虞が考えられる。そこで上述のような不具合を解消するために、指掛け穴に装着される主に樹脂製等のカバーが種々案出されている（例えば、特許文献１参照）。
【０００３】
同文献に記載のカバーは、箱に形成された指掛け穴に対して当該箱の外側から取り付けられる取手と、箱の内側から取手に係合させる係合ピンとからなるものであり、取手に形成された係合用筒部が有する段状に形成した複数の係合部のいずれかに係合ピンの頭部を係合させることで、取手と係合ピンとの取付状態を箱の厚みに応じて調節し得るようにするものである。なお、係合ピンと係り合う段状の係合部は、係合ピンの抜出時に干渉するように係合用筒部内に突出させて並べた鋸刃状をなしている。
【特許文献１】実開昭６２−８２９４４号公報
【発明の開示】
【発明が解決しようとする課題】
【０００４】
ところが、上述のような取手と係合ピンとからなるカバーでは、係合ピンには取手を箱に固定するための機能しか有していないため、指掛け穴を箱の内側から保護することができず、箱内に収納したファイルや書類によって指掛け穴が損傷する虞が生じる。また、箱の厚みに対応すべく形成された鋸刃状の係合部では、隣接する係合部間のピッチがある程度大きくないと係合ピンと十分に係り合わせることができなくなり、結果的に箱の厚みに応じたカバーの取付状態の微調整が行いにくい。そのうえ、鋸刃状の係合部の先端部が鋭い鋭角をなして尖っているため欠けやすく、係合ピンと部分的に係合しない係合部が発生することも考えられる。さらに、斯かる樹脂製の取手の成型時には金型が用いられるのが通例であるが、係合用筒部内に鋸刃状の係合部が存在する構成のために、通常の割型からなる母型に加えて複数のスライド型を有する金型が必要となり、製造コストが高くならざるを得ないという問題もある。
【０００５】
そこで本発明は、以上のような問題に鑑みて、指掛け穴等の指掛け部に装着してそれを十分に保護することができ、指掛け部を形成した対象物の多様な厚みに対応することができて丈夫なカバーを提供しようとするものである。また本発明は、カバーを製造するための金型のコストも考慮して、製造コストを極力低減することができるような構成を有するカバーをも提供しようとしている。
【課題を解決するための手段】
【０００６】
すなわち、本発明の指掛け部用カバー（以下、便宜上「カバー」と称する場合がある）は、取付対象物に形成された指掛け部の周囲に装着した状態で用いられるものであって、指掛け部に対して取付対象物の外側から取り付けられる外カバーと内側から取り付けられる内カバーとを具備してなり、外カバーと内カバーとの間に取付対象物を挟んで係り合う装着部を形成し、この装着部を、外カバー又は内カバーの何れか一方において階段状をなすように複数の係合段部を連続させて形成した多段階係合部と、他方において多段階係合部の係合段部の何れか１つと選択的に係合し得るように形成した係合爪とから構成していることを特徴とする。
【０００７】
このような構成のカバーであれば、指掛け部の損傷や使用者の怪我の防止といった基本的な機能を有しているのは勿論であるが、外カバーと内カバーとによって指掛け部の周囲においてその外側及び内側の両方から保護することができるため、取付対象物たるファイルやボックスファイルに形成した指掛け部が収容物によって損傷したり、その逆に収容物が損傷するというような不具合を有効に防止することができる。また、外カバーと内カバーとを係り合わせる装着部において、それらのいずれかに形成した多段階係合部は階段状をなす形状であるため、鋸刃状をなす従来のものと比較して係合段部間のピッチを可及的に小さくすることができることになって、取付対象物の厚みに応じた外カバーと内カバーとの取付状態の微調整を適切に行うことができる。さらにその結果、外カバーと内カバーの肉厚をも薄くすることができるため、取付対象物の外側及び内側においては外カバー及び内カバーが突出しすぎることがなく、外観を損ねたり取付対象物内の収容空間を不当に狭めるなどといった不具合も生じにくい。また、外カバー及び内カバーは取付対象物に対して後付けするようにしたものであるため、それらの色を適宜に変更するなど製品バリエーションの多様化や用途に応じた色分けをも図ることができる。なお、本発明において指掛け部の形状は、取付対象物の内外に貫通する形態のものであれば特に限定されるものではなく、例えば穴や切り欠き等を挙げることができ、それに応じてカバーの形状も限定されるものではない。
【０００８】
特に、階段状の多段階係合部を構成する複数の係合段部の先端部を略直角をなすものとすることで、鋭い鋭角をなす鋸刃状の先端部を有するものよりも各係合段部の先端部を欠けにくく丈夫なものとすることができる。
【０００９】
斯かるカバーにおいて、外カバーと内カバーとの取付対象物に対する取付作業を簡便化するには、装着部を、外カバー又は内カバーの何れか一方又は両方の弾性変形を利用して係合段部と係合爪とを係合させるものとすることが好ましい。
【００１０】
ここで、特に指掛け部が取付対象物に形成された穴、すなわち指掛け穴である場合には、外カバー及び内カバーを、いずれも指掛け穴に対応するリング状とすることが、指掛け穴の保護の観点からは好適である。この場合、装着部を、多段階係合部と係合爪とを嵌め合わせた状態で係り合わせるように構成することが望ましい。なお、この場合にも複数の係合段部がいずれも略直角をなす先端部を有するものとすることで、係合段部の強度増強を図ることができる。
【００１１】
このように、装着部を外カバー及び内カバーの嵌合係合関係によるものとした場合、外カバー又は内カバーのうち外側から嵌め合わせる側の部材の内周に多段階係合部を形成し、内側から嵌め合わせる側の部材の外周に係合爪を形成すると、多段階係合部はそれを形成した部材の内径を一方向に段階的に狭める方向に形成されることとなるため、当該部材を形成するための金型には２つの割型からなる母型のみが必要であって、その他にスライド型は不要とすることができる。
【００１２】
他方、外カバー又は内カバーのうち外側から嵌め合わせる側の部材の内周に係合爪を形成し、内側から嵌め合わせる側の部材の外周に多段階係合部を形成した場合には、係合爪を形成した部材を製造するための金型には２つの割型からなる母型のみが必要であって、その他にスライド型は不要とすることができる。
【００１３】
斯かる２通りの構成の何れであっても、外カバーと内カバーとの相互取付を容易なものとしつつそれらの製造の簡易化をも図るには、外カバー又は内カバーのうち係合爪を形成した側の部材において、その係合爪を弾性変形可能に形成するとよい。
【００１４】
また、指掛け穴の保護をさらに完全なものとするには、外カバーに、取付対象物の外面側において指掛け穴の周囲に当接するリング状をなす外鍔部を形成するとともに、内カバーに、取付対象物の内面側において指掛け穴の周囲に当接するリング状をなす内鍔部を形成することが好ましい。
【００１５】
さらに、このカバーが略正円状をなす指掛け穴の周囲に装着されるものである場合、外カバー及び内カバーの方向を問わずに容易に装着できるようにするには、外カバー及び内カバーの正面視形状が何れも指掛け穴に対応する略正円状をなすものとすることが有効である。
【発明の効果】
【００１６】
本発明は、外カバーと内カバーの２部材からなるカバーであるので、取付対象物の内外のいずれにおいても指掛け穴の保護を図りることができる。また、外カバーと内カバーとを指掛け穴の周囲に装着するための装着部は、一方に形成した多段階係合部と他方に形成した係合爪とから構成したものであり、特に多段階係合部は係合段部を複数階段状に並べたものであるので、係合段部自体の強度が高く丈夫であるだけでなく、隣接する係合段部間のピッチを小さくすることができる結果、取付対象物の厚みに応じた外カバーと内カバーとの装着位置の微調整を容易に行うことができるとともに、外カバー及び内カバー自体の厚みも小さくして取付対象物からの突出量を極めて小さなものとすることが可能である。さらに、各係合段部の先端部が略直角の先端部を有する形状であると、その係合段部の強度をより高く丈夫なものとすることができる。
【発明を実施するための最良の形態】
【００１７】
以下、本発明の一実施形態を、図面を参照して説明する。
【００１８】
＜第１実施形態＞  図１に示すこの実施形態は、取付対象物たるボックスファイルＯＢの背部ＯＢａに指掛け部として形成された指掛け穴ＯＢｈに装着される指掛け部用カバー（以下、「カバー」）１である。このカバー１は、図２にも拡大して示すように、指掛け穴ＯＢｈを挟んで相互に係合される外カバー２及び内カバー３から構成されるものである。ここで、指掛け穴ＯＢｈは、背部ＯＢａを正面から見て略正円形状をなすように形成されている。
【００１９】
外カバー２は、ボックスファイルＯＢの背部ＯＢａに対して外側から装着される合成樹脂製の部材である。この外カバー２は、図３及び図５（ａ）（図３（ａ）におけるＡ−Ａ線断面図）に示すように、指掛け穴ＯＢｈに対応して正面視略正円形状のリング状をなすものであり、指掛け穴ＯＢｈよりも一回り大きい外形寸法と一回り小さい内径寸法を有している。具体的に外カバー２は、指掛け穴ＯＢｈの周囲において背部ＯＢａの外面に当接するリング状の鍔部２１と、この鍔部２１の背面側に連続して突出し指掛け穴ＯＢｈ内に挿入される概略円筒状をなす筒状部２２とを有している。筒状部２２の後端部には径方向外側へ突出する係合爪２３を間欠的に（本実施形態では約９０°ごとに）形成してあり、この係合爪２３が存在する部位と存在しない部位とを区切るように奥行き方向に延びるスリット２４を間欠的に（本実施形態では約４５°ごとに）形成している。すなわち各係合爪２３は、筒状部２２の径方向に弾性変形可能となっている。このような構成の外カバー２は、図５（ｂ）に断面図で示すように、前後方向に脱型される一対の割型４１ａ及び４１ｂからなる母型４１と、この母型４１の脱型方向に対して直交する方向に引き抜かれる一対のスライド型４２ａ、４２ｂからなる金型内に流し込んだ樹脂を硬化させることによって製造される。
【００２０】
内カバー３は、ボックスファイルＯＢの背部ＯＢａに対して内側から装着される合成樹脂製の部材である。この内カバー３は、図４及び図６（ａ）（図４（ａ）におけるＢ−Ｂ線断面図）に示すように、外カバー２と同様に指掛け穴ＯＢｈに対応して正面視略正円形状のリング状をなすものであり、指掛け穴ＯＢｈよりも一回り大きい外形寸法と一回り小さい内径寸法を有している。具体的に内カバー３は、指掛け穴ＯＢｈの周囲において背部ＯＢａの内面に当接するリング状の鍔部３１を前端部に有しており、外カバー２の筒状部２２に対して外側から嵌り合う内周に外カバー２の係合爪２３と係合する多段階係合部３２を形成している。この多段階係合部３２は、複数の係合段部３２ａ〜３２ｅを階段状に形成したものであり、前端部側の係合段部３２ａから後端部側の係合段部３２ｅに向けて順次内カバー３の内径寸法を拡張するように形成している。なお、本実施形態においては、前端部側から２番目の係合段部３２ｂから後端部側の係合段部３２ｅまでは略等間隔で形成してあり、この間隔よりも前端部側の係合段部３２ａと２番目の係合段部３２ｂまでの間隔を大きく設定している。また、各係合段部３２ａ〜３２ｅの先端部は略直角をなすように形成することによって、各先端部が欠けるなどの不具合が生じないように強度増強を図っている。このような構成の内カバー３は、図６（ｂ）に断面図で示すように、前後方向に脱型される一対の割型５１ａ及び５１ｂのみからなる母型５１により構成される金型内に流し込んだ樹脂を硬化させることによって製造される。
【００２１】
そして、これら内カバー３の係合段部３２ａ〜３２ｅのうち何れか１つと外カバー２の係合爪２３とが選択的に嵌合し且つ係合する装着部１Ｘを構成するようにしている。具体的に説明すると、図７（ａ）〜（ｅ）に示すように、ボックスファイルＯＢの背部ＯＢａの厚み寸法ｔ１〜ｔ５の違いに対応して外カバー２の外向きの係合爪２３が弾性変形の度合いを変化させつつ、内カバー３の多段階係合部３２のうち係合段部３２ａ〜３２ｅの何れか１つと係合するように指掛け穴ＯＢｈを挟んで係り合うことで、指掛け穴ＯＢｈの内外を好適に保護するカバー１本来の機能を発揮することができる。なお、同図（ａ）（ｂ）（ｃ）（ｄ）（ｅ）は、それぞれ係合爪２３を係合段部３２ａ、３２ｂ、３２ｃ、３２ｄ、３２ｄに係合させた状態を示している。特に、多段階係合部３２は、内カバー３の内周側においてそれぞれ略直角の先端部を有する係合段部３２ａ〜３２ｅを階段状に並べて形成したものであるため、従来品のように鋸刃状の複数の係合部を有するものと比較して隣接する係合段部間の間隔を遙かに小さく設定しても係合爪３２と確実に係り合わせることができる。さらに外カバー２及び内カバー３の肉厚寸法を小さくすることが可能であることから、ボックスファイルＯＢの背部ＯＢａからの内外への突出寸法を小さくして、外カバー２の装着による外観の低下を防止するとともに、内カバー３の装着によるボックスファイルＯＢの内容積の狭小化を防止することができる。さらに各係合段部３２ａ〜３２ｅの先端部は略直角をなしているので、鋸刃状の従来品と比較して、その先端部の強化を図り損傷を有効に防止することができる。またこのカバー１は、ボックスファイルＯＢに対して後から外的に装着されるものであるため、カバー１の色を適宜変更すれば、ボックスファイルＯＢへの収容物の相違による色分けや、カバー１自体のカラーバリエーションの豊富化を図ることもできる。その他、外カバー２に形成した係合爪２３を弾性変形させて各係合段部３２ａ〜３２ｅに係り合わせるようにしていることから、外カバー２と内カバー３との着脱、特に装着を簡便に行うことができる。さらに、本実施形態では、正円形状の指掛け穴ＯＢｈに対して正面視正円形状をなす外カバー２及び内カバー３を装着するようにしているため、外カバー２及び内カバー３を、その円周方向の向を問わずに簡単に取り付けることができる。
【００２２】
＜第２実施形態＞  図８に示す本実施形態も、第１実施形態と同様に、取付対象物たるボックスファイルＯＢの背部ＯＢａに指掛け部として形成された指掛け穴ＯＢｈに装着される指掛け部用カバー（以下、「カバー」）１００である。なお本実施形態においても、指掛け穴ＯＢｈは、背部ＯＢａを正面から見て略正円形状をなすように形成されている。このカバー１００は、指掛け穴ＯＢｈを挟んで相互に係合される外カバー２００及び内カバー３００から構成されるものである。ここで本実施形態では、外カバー２００の外周側に多段階係合部２２０を形成する一方、内カバー３００に内向きの係合爪３２０を形成して、これら多段階係合部２２０と係合爪３２０とを係合させるように構成している。以下、各部の構成について説明する。
【００２３】
外カバー２００は、ボックスファイルＯＢの背部ＯＢａに対して外側から装着される合成樹脂製の部材である。この外カバー２００は、図９及び図１１（ａ）（図９（ａ）におけるＣ−Ｃ線断面図）に示すように、指掛け穴ＯＢｈに対応して正面視略正円形状のリング状をなすものであり、指掛け穴ＯＢｈよりも一回り大きい外形寸法と一回り小さい内径寸法を有している。具体的に外カバー２００は、指掛け穴ＯＢｈの周囲において背部ＯＢａの外面に当接するリング状の鍔部２１０と、この鍔部２１０の背面側に連続して突出し指掛け穴ＯＢｈ内に挿入される概略円筒状をなす筒状部２２０とを有している。そして、この筒状部２２０の外周に多段階係合部２３０を形成している。この多段階係合部２３０は、複数の係合段部２３０ａ〜２３０ｄを階段状に形成したものであり、前端部側の係合段部２３０ａから後端部側から２番目の係合段部２３０ｃに向けて順次外カバー２００の外径寸法を順次拡張するように略等間隔で形成しており、それら係合段部２３０ａ〜２３０ｃの深さを略等しく設定している。なお、後端部の係合段部２３０ｄのみ係合段部２３０ｂ及び２３０ｃの２つ分の深さとしている。また、各係合段部２３０ａ〜２３０ｄの先端部は略直角をなすように形成することによって、各先端部が欠けるなどの不具合が生じないように強度増強を図っている。このような構成の外カバー２００は、図１１（ｂ）に断面図で示すように、前後方向に脱型される一対の割型４１０ａ及び４１０ｂからなる母型４１０と、この母型４１０の脱型方向に対して直交する方向に引き抜かれる一対のスライド型４２０ａ、４２０ｂからなる金型内に流し込んだ樹脂を硬化させることによって製造される。
【００２４】
内カバー３００は、ボックスファイルＯＢの背部ＯＢａに対して内側から装着される合成樹脂製の部材である。この内カバー３００は、図１０及び図１２（ａ）（図１０（ａ）におけるＤ−Ｄ線断面図）に示すように、外カバー２００と同様に指掛け穴ＯＢｈに対応して正面視略正円形状のリング状をなすものであり、指掛け穴ＯＢｈよりも一回り大きい外形寸法と一回り小さい内径寸法を有している。具体的に内カバー３００は、指掛け穴ＯＢｈの周囲において背部ＯＢａの内面に当接する前端部をリング状の鍔部３１０としている。そしてその内径側に内側へ突出して外カバー２００の多段階係合部２３０に内側から嵌合する係合爪３２０を間欠的に（本実施形態では約９０°ごとに）形成してあり、この係合爪３２０が存在する部位と存在しない部位とを区切るように奥行き方向に延びるスリット３３０を間欠的に（本実施形態では約４５°ごとに）形成している。また、この内カバー３００には、係合爪３２０の外側に前方に開口する円環状の溝部３４０を形成しており、各係合爪３２０が内リング３００の径方向に弾性変形可能となっている。このような構成の内カバー３００は、図１２（ｂ）に断面図で示すように、前後方向に脱型される一対の割型５１０ａ及び５１０ｂのみからなる母型５１０により構成される金型内に流し込んだ樹脂を硬化させることによって製造される。
【００２５】
そして、これら外カバー２００の係合段部２３０ａ〜２３０ｄのうち何れか１つと内カバー３００の係合爪３２０とが選択的に嵌合し且つ係合する装着部１００Ｘを構成するようにしている。具体的に説明すると、図１３（ａ）〜（ｄ）に示すように、ボックスファイルＯＢの背部ＯＢａの厚み寸法ｔ１０〜ｔ１３の違いに対応して内カバー３００の内向きの係合爪３２０が弾性変形の度合いを変化しつつ、外カバー２００の多段階係合部２３０を構成する係合段部２３０ａ〜２３０ｄの何れか１つに係合するるように指掛け穴ＯＢｈを挟んで係り合うことで、指掛け穴ＯＢｈの内外を好適に保護するカバー１本来の機能を発揮することができる。なお、同図（ａ）（ｂ）（ｃ）（ｄ）は、それぞれ係合爪３２０を係合段部２３０ａ、２３０ｂ、２３０ｃ、２３０ｄに係合させた状態を示している。また、本実施形態により得られる効果は、内カバー３００を一対の割型５１０ａ、５１０ｂのみからなる金型を利用して製造可能であること以外については、第１実施形態により得られる効果と同等である。
【００２６】
なお、本発明は上述した各実施形態に限られるものではない。例えば指掛け部が上述のような指掛け穴である場合に、上記実施形態とは異なり、内カバーの外周に多段階係合部を形成して外カバーに内向きの係合爪を形成した装着部、或いは外カバーの内周に多段階係合部を形成して内カバーに外向きの係合爪を形成した装着部を有する構成を採用しても構わない。また、指掛け部としては、正円形状の指掛け穴に限らず、楕円形状、四角形状等の適宜の形状の穴や、取付対象物の上端部や下端部に形成した切欠等、適宜のものを採用することも可能である。さらに、取付対象物としては、上述のようなボックスファイルの他にも、書類を挟み込むファイル等の適宜のものを採用することもできる。その他、各部の具体的構成についても上記実施形態に限られるものではなく、本発明の趣旨を逸脱しない範囲で種々変形が可能である。
【図面の簡単な説明】
【００２７】
【図１】本発明の第１実施形態に係るカバーを示す斜視図。
【図２】同拡大斜視図。
【図３】同カバーを構成する外カバーを示す正面図及び背面図。
【図４】同内カバーを示す正面図及び背面図。
【図５】同外カバーを示す断面図。
【図６】同内カバーを示す断面図。
【図７】同カバーの取付対象物に対する装着例を示す断面図。
【図８】本発明の第１実施形態に係るカバーを示す拡大斜視図。
【図９】同カバーを構成する外カバーを示す正面図及び背面図。
【図１０】同内カバーを示す正面図及び背面図。
【図１１】同外カバーを示す断面図。
【図１２】同内カバーを示す断面図。
【図１３】同カバーの取付対象物に対する装着例を示す断面図。
【符号の説明】
【００２８】
１…指掛け部用カバー（カバー）
１Ｘ…装着部
２…外カバー
３…内カバー
２１…鍔部
２３…係合爪
３１…鍔部
３２…多段階係合部
３２ａ、３２ｂ、３２ｃ、３２ｄ、３２ｅ…係合段部
１００…指掛け部用カバー（カバー）
１００Ｘ…装着部
２００…外カバー
３００…内カバー
２１０…鍔部
２３０…多段階係合部
２３０ａ、２３０ｂ、２３０ｃ、２３０ｄ…係合段部
３１０…鍔部
３２０…係合爪
ＯＢ…取付対象物（ボックスファイル）
ＯＢｈ…指掛け部（指掛け穴）
【図１】
2005074890.tif 000003
【図２】
2005074890.tif 000004
【図３】
2005074890.tif 000005
【図４】
2005074890.tif 000006
【図５】
2005074890.tif 000007
【図６】
2005074890.tif 000008
【図７】
2005074890.tif 000009
【図８】
2005074890.tif 000010
【図９】
2005074890.tif 000011
【図１０】
2005074890.tif 000012
【図１１】
2005074890.tif 000013
【図１２】
2005074890.tif 000014
【図１３】
2005074890.tif 000015